(57)【特許請求の範囲】
【請求項１】
放音側の外周部の外形形状が楕円もしくは四辺形を成している振動板のその外周部に該外周部と同形状の環状枠体に形成されたエッジ体を備え、このエッジ体の外周縁を以て上記振動板をスピーカフレームに固着した構成のスピーカにおいて、
上記エッジ体の各桟部の肉厚をそれぞれ中央部から外周方向両側に向かって漸次変化させたことを特徴とするスピーカ。
【請求項２】
上記エッジ体の各桟部の肉厚をそれぞれ中央部で最も大にして該中央部から外周方向両側に向かって漸次薄くしたことを特徴とする請求項１に記載のスピーカ。
【請求項３】
放音側の外周部の外形形状が楕円もしくは四辺形を成している振動板のその外周部に該外周部と同形状の環状枠体に形成されたエッジ体を備え、このエッジ体の外周縁を以て上記振動板をスピーカフレームに固着した構成のスピーカにおいて、
上記エッジ体の各桟部に補強部材を設けることにより、上記エッジ体の各桟部の堅さをそれぞれ中央部から外周方向両側に向かって漸次変化させたことを特徴とするスピーカ。
【請求項４】
上記エッジ体の各桟部の堅さをそれぞれ中央部で最も大にして該中央部から外周方向両側に向かって漸次小さくしたことを特徴とする請求項３に記載のスピーカ。
【発明の詳細な説明】
【０００１】
【発明の属する技術分野】
本発明は電気記号を音響信号に変換するスピーカに関するものである。
【０００２】
【従来の技術】
従来のスピーカは図１１に示す構造を備えるもので、上面中央にセンターポール２を有する支持ヨーク１の上面外周部に、上記センターポール２の外周側面との間に所定の磁気空隙３を設けるように環状マグネット４を固着して設け、更に上記センターポール２の上部外周に、上端部を振動板５の下端に固着されているボイスコイル７の下端部を遊嵌した構成となっている。
【０００３】
振動板５は、断面が台形状で、かつ平面が四辺形の環状枠体からなるもので、最外周部にエッジ体６を備え、かかるエッジ体６の外周縁を以てスピーカフレーム８に固着されている。
【０００４】
【発明が解決しようとする課題】
上述のような構成のスピーカにおいて、振動板５のエッジ体６の素材として布等を使用した場合、図１２の音圧周波数特性図の点ａに示すように、音楽再生に必要な帯域内に周波数特性の乱れが生じると云う問題があった。
【０００５】
この問題点を改善する手段の一つとして、図１３及び図１４に示すようにエッジ体６の中央部６の材料の厚みを増やして、その部分の強度を増す方法がある。図１４は図１３において線IV−IVで切断して視た側面断面図である。
【０００６】
この方法によると、中央部の強度が上がり、エッジ体６が２つに折れる振動モードは無くなるものの、厚みが変わる境界部分を節として３つに折れる振動モードが発生し、根本的な問題の解決に至っていないのが現状である。
【０００７】
本発明は、このような従来のスピーカにおける周波数特性の乱れを防止することを目的とするものである。
【０００８】
【課題を解決するための手段】
本発明のスピーカは、放音側の外周部の外形形状が楕円もしくは四辺形を成している振動板のその外周部に該外周部と同形状の環状枠体に形成されたエッジ体を備え、このエッジ体の外周縁を介して上記振動板をスピーカフレームに固着した構成のスピーカにおいて、上記エッジ体の各桟部の肉厚をそれぞれ中央部から外周方向両側に向かって漸次変化させたことを特徴とするものである。
【０００９】
この構成によれば、エッジ体の各桟部の肉厚をそれぞれ中央部から外周方向両側に向かって漸次変化させているので、エッジ体の各桟部の強度をそれぞれ中央部から外周方向両側に向かって漸次変化させることになる。その結果、スピーカ駆動時の振動がエッジ体全体に平均的に作用することとなり、音楽再生に必要な帯域内において周波数特性に乱れのないスピーカを提供することが出来る。
【００１０】
この場合、上記エッジ体の各桟部の肉厚をそれぞれ中央部でもっとも大にして該中央部から外周方向両側に向かって漸次薄くするとよい。この構成によれば、エッジ体の各桟部の肉厚をそれぞれ中央部で最も大にして該中央部から外周方向両側に向かって漸次薄くしているので、エッジ体の各桟部の強度がそれぞれ中央部から外周方向両側に向かって漸次小さくなっている。その結果、スピーカ駆動時の振動がエッジ体全体に平均的に作用することとなり、音楽再生に必要な帯域内において周波数特性に乱れのないスピーカを提供することが出来る。
【００１１】
また、本発明は、放音側の外周部の外形形状が楕円もしくは四辺形を成している振動板のその外周部に該外周部と同形状の環状枠体に形成されたエッジ体を備え、このエッジ体の外周縁を以て上記振動板をスピーカフレームに固着した構成のスピーカにおいて、上記エッジ体の各桟部の堅さをそれぞれ中央部から外周方向両側に向かって漸次変化させたことを特徴とするものである。
【００１２】
この構成によれば、エッジ体の各桟部の堅さをそれぞれ中央部から外周方向両側に向かって漸次変化させているので、エッジ体の各桟部の強度をそれぞれ中央部から外周方向両側に向かって漸次変化させることになる。その結果、スピーカ駆動時の振動がエッジ体全体に平均的に作用することとなり、音楽再生に必要な帯域内において周波数特性に乱れのないスピーカを提供することが出来る。
【００１３】
この場合、上記エッジ体の各桟部の堅さをそれぞれ中央部で最も大にして該中央部から外周方向両側に向かって漸次小さくするとよい。
【００１４】
また、上記エッジ体の各桟部に補強部材を設けることにより上記各桟部の堅さをそれぞれ中央部から外周方向両側に向かって漸次変化させるようにしてもよく、この構成によれば、エッジ体の各桟部の堅さを補強剤によりそれぞれ中央部から外周方向両側に向かって漸次変化させることになるので、エッジ体の各桟部の強度がそれぞれ中央部から外周方向両側に向かって漸次変化することになる。その結果、この発明においても、スピーカ駆動時の振動がエッジ体全体に平均的に作用することとなり、音楽再生に必要な帯域内において周波数特性に乱れのないスピーカを提供することが出来る。
【００１８】
【発明の実施の形態】
以下、本発明の実施態様を図に従って詳細に説明する。
＜第１の実施態様＞
図１は、本発明に関わるスピーカの第１の実施態様の横断面図を示している。この図において、従来のスピーカと同一部分には説明の便宜上同一符号を付している。
【００１９】
図１において、１は支持ヨークであり、その上面中央にセンターポール２を備えるとともに外周部に該センターポール２の外周側面との間に所定の磁気空隙３を設けるように環状マグネット４を固着して設けている。５は振動板であり、断面が台形上で、かつ平面が四辺形の環状枠体からなるもので、最外周部に振動板の外周と同一形状の輪郭を持つエッジ体６を備え、かかるエッジ体６の外周の固着用鍔６ａを以てスピーカフレーム８に固着されている。尚、この振動板及びエッジ体の平面は四辺形以外に楕円形であっても良い。
【００２０】
７は上端部を振動板５の下端に固着され、下端を上記センターポール２の上端部に遊嵌しているボイスコイルである。９は上記スピーカフレーム８とともにスピーカの外郭を構成するフレーム枠であって、下縁部を上記環状マグネット４の上面に部材１０を介して固定され、上縁部に上記ボイスコイル７を浮遊状態に支持するダンパー材１１の外周縁を固着している。１２は更に上記スピーカフレーム８，フレーム枠９とともにスピーカの外郭を構成する外郭枠であり、上縁外周に上記スピーカフレーム８を固着するとともに下縁外周を以て上記ダンパー材１１の外周縁に固着されている。
【００２１】
図２及び図３は上記エッジ体６を示すもので、これらの図より明らかなようにエッジ体６は、断面が半円形の桟状体を平面長方形の輪郭を持つ環状枠体に形成して構成されたもので、各桟部の最外周部全周に上記スピーカフレーム８に固着するための固着用鍔６ａを備えている。特に、長辺桟部６ｂを図２の線Ｉ−Ｉで切断して視た断面図の図３に示すように、エッジ体６の長辺桟部６ｂは、板面の肉厚を中央部６ｄを最も大にしてコーナー部６ｅに向けて漸次小さくなるよう形成されている。図には示していないが、短辺桟部６ｃにおいても同様に板面の肉厚を中央部を最も大にして該中央部からコーナー部、即ち外周方向両側に向かって漸次小さくしている。
【００２２】
図４は、このエッジ体６を備えたスピーカの音圧周波数特性を示す図であり、この図より明らかなように、図１１で示した従来のスピーカの音圧周波数特性に現れていたような音楽再生帯域の中にあった特性の乱れが改善されていることが判る。尚、本実施態様では上記エッジ体６の各桟部の肉厚の変化を左右対称にしているが、特にこれに拘るものではなく、エッジ体の素材、形状並びに周辺部材との関係に併せて音圧周波数特性が良くなるように適宜肉厚を変えるようにすることができる。要するに、本発明ではエッジ体６の各桟部の肉厚に変化をもたらすことで、スピーカの音圧周波数特性を改善することができるようにしている。
【００２３】
＜第２の実施態様＞
図５は、本発明の第２の実施態様にかかるスピーカのエッジ体６の平面図を、図６は図５を線II−IIで切断して視た断面図を示している。これらの図において明らかなように、エッジ体６は、長辺桟部６ｂ及び短辺桟部６ｃの裏面のそれぞれに補強部材９，・・・を貼着している。
【００２４】
これら補強部材９は図に示すように各桟部の中央から両端部に向けて漸次肉厚を薄くしている。このようにすることにより、エッジ体６の各桟部において中央部から端部に向けて漸次堅さを変化させた構成としている。即ち、中央部の堅さを最も大きくし、この中央部から端部に向けて漸次堅さを小さくしている。
【００２５】
図７は、第２の実施態様におけるエッジ体６を備えたスピーカの音圧周波数特性を示す図であり、この図より明らかなように、本発明においても、図１１で示した従来のスピーカの音圧周波数特性図に現れていたような音楽再生帯域の中にあった特性の乱れが改善されていることが判る。
【００２６】
本実施態様によれば、第１の実施態様のエッジ体では実現が困難であった厚みが均一な材料、例えば布や合成ゴムシート等をエッジ体の材料として使用することができる。尚、本実施態様では上記補強部材９の肉厚の変化を左右対称にしているが、特にこれに拘るものではなく、補強部材９の素材、形状並びに周辺部材との関係に併せて音圧周波数特性が良くなるように適宜肉厚を変えるようにすることが出来る。要するに、補強部材９の肉厚に変化をもたらすことで、スピーカの音圧周波数特性を改善することが出来る。
【００２７】
＜第３の実施態様＞
図８は、本発明の第３の実施態様にかかるスピーカのエッジ体６の平面図を、図９は図５を線III−IIIで切断して視た断面図を示している。これらの図において明らかなように、エッジ体６は、長辺桟部６ｂ及び短辺桟部６ｃのそれぞれの幅を中央部を最も小さくし、そして各桟部の中央から両端部に向けて漸次大きくしている。このようにすることにより、エッジ体６の各桟部において中央部から端部に向けて漸次強度を大きくしている。
【００２８】
図１０は、第３の実施態様におけるエッジ体６を備えたスピーカの音圧周波数特性を示す図であり、この図より明らかなように、本発明においても、図１１で示した従来のスピーカの音圧周波数特性に現れていたような音楽再生帯域の中にあった特性の乱れが改善されていることが判る。
【００２９】
尚、本実施態様では上記エッジ体６の各桟部の幅の変化を中央部を中心に左右対称にしているが、特にこれに拘るものではなく、エッジ体の素材、形状並びに周辺部材との関係に併せて音圧周波数特性が良くなるように適宜幅を変えるようにすることが出来る。要するに、エッジ体の幅に変化をもたらすことで、スピーカの音圧周波数特性を改善することが出来る。
【００３０】
【発明の効果】
本発明のスピーカは、放音側の外周部の外形形状が楕円もしくは四辺形を成している振動板のその外周部に該外周部と同形状の環状枠体に形成されたエッジ体を備え、このエッジ体の外周縁を介して上記振動板をスピーカフレームに固着した構成のスピーカにおいて、上記エッジ体の各桟部の肉厚をそれぞれ中央部から外周方向両側に向かって漸次変化させた構成である。
【００３１】
この発明によれば、エッジ体の各桟部の肉厚をそれぞれ中央部から外周方向両側に向かって漸次変化させているので、エッジ体の各桟部の強度をそれぞれ中央部から外周方向両側に向かって漸次変化させることになる。その結果、スピーカ駆動時の振動がエッジ体全体に平均的に作用することとなり、音楽再生に必要な帯域内において周波数特性に乱れのないスピーカを提供することが出来る。
【００３２】
この場合、上記エッジ体の各桟部の肉厚をそれぞれ中央部で最も大にして該中央部から外周方向両側に向かって漸次薄くすることにより、エッジ体の各桟部の肉厚をそれぞれ中央部で最も大にして該中央部から外周方向両側に向かって漸次薄くしているので、エッジ体の各桟部の強度がそれぞれ中央部から外周方向両側に向かって漸次小さくなっている。その結果、スピーカ駆動時の振動がエッジ体全体に平均的に作用することとなり、音楽再生に必要な帯域内において周波数特性に乱れのないスピーカを提供することが出来る。
【００３３】
また、放音側の外周部の外形形状が楕円もしくは四辺形を成している振動板のその外周部に該外周部と同形状の環状枠体に形成されたエッジ体を備え、このエッジ体の外周縁を以て上記振動板をスピーカフレームに固着した構成のスピーカにおいて、上記エッジ体の各桟部の堅さをそれぞれ中央部から外周方向両側に向かって漸次変化させた構成とすると、エッジ体の各桟部の強度をそれぞれ中央部から外周方向両側に向かって漸次変化させることになり、その結果、スピーカ駆動時の振動がエッジ体全体に平均的に作用することとなり、音楽再生に必要な帯域内において周波数特性に乱れのないスピーカを提供することが出来る。
【００３４】
また、上記エッジ体の各桟部の堅さをそれぞれ中央部で最も大にして該中央部から外周方向両側に向かって漸次小さくした構成すると、エッジ体の各桟部の強度がそれぞれ中央部から外周方向両側に向かって漸次小さくなり、その結果、この発明においても、スピーカ駆動時の振動がエッジ体全体に平均的に作用することとなり、音楽再生に必要な帯域内において周波数特性の乱れのないスピーカを提供することができる。
【００３５】
この場合、上記エッジ体の各桟部に補強部材を設けることにより上記各桟部の堅さをそれぞれ中央部から外周方向両側に向かって漸次変化させるようにした構成すると、エッジ体の各桟部の堅さを補強剤によりそれぞれ中央部から外周方向両側に向かって漸次変化させることになるので、エッジ体の各桟部の強度がそれぞれ中央部から外周方向両側に向かって漸次変化することになる。その結果、この発明においても、スピーカ駆動時の振動がエッジ体全体に平均的に作用することとなり、音楽再生に必要な帯域内において周波数特性に乱れのないスピーカを提供することが出来る。
【図面の簡単な説明】
【図１】本発明に係わるスピーカの第１の実施態様を示す概略断面構成図である。
【図２】第１の実施態様のスピーカにおけるエッジ体の構成を示す平面図である。
【図３】エッジ体を図２の線Ｉ−Ｉで切断して視た側面断面図である。
【図４】第１の実施態様のスピーカの周波数特性を示す音圧周波数特性図である。
【図５】発明の第２の実施態様のスピーカにおけるエッジ体の構成を示す平面図である。
【図６】  同エッジ体を図５の線II−IIで切断して視た側面断面図である。
【図７】  同第２の実施態様のスピーカの周波数特性を示す音圧周波数特性図である。
【図８】  本発明の第３の実施態様のスピーカにおけるエッジ体の構成を示す平面図である。
【図９】  同エッジ体を図５のIII−IIIで切断して視た側面断面図である。
【図１０】同第３の実施態様のスピーカの周波数特性を示す音圧周波数特性図である。
【図１１】従来のスピーカを示す概略断面構成図である。
【図１２】従来のスピーカの周波数特性を示す音圧周波数特性図である。
【図１３】従来のスピーカにおけるエッジ体の構成を示す平面図である。
【図１４】同従来のスピーカのエッジ体を図１３の線IV−IVで切断して視た側面断面図である。
【符号の説明】
１    ヨーク
２    センターポール
３    空隙
４    環状マグネット
５    振動板
６    エッジ体
６ａ  固着用鍔
６ｂ、６ｃ  桟部
７    ボイスコイル
８    スピーカフレーム
９    集光レンズ
１０    ＡＰＣ回路
１１    第１光検出器
１２    第２光検出器
【図１】
0003642741.tif 000002
【図２】
0003642741.tif 000003
【図３】
0003642741.tif 000004
【図４】
0003642741.tif 000005
【図５】
0003642741.tif 000006
【図６】
0003642741.tif 000007
【図７】
0003642741.tif 000008
【図８】
0003642741.tif 000009
【図９】
0003642741.tif 000010
【図１０】
0003642741.tif 000011
【図１１】
0003642741.tif 000012
【図１２】
0003642741.tif 000013
【図１３】
0003642741.tif 000014
【図１４】
0003642741.tif 000015